(57)【要約】  負荷変調されたアナログ入力信号（１９）を受信し、入力信号（１９）内で検出されたデジタルデータ（２０）を出力する受信機（１７）であって、受信機（１７）が、入力信号（１９）を同相搬送波周波数（２２）と混合し、ダウンコンバートされた入力信号の同相成分（２３）を提供する同相混合器（２１）と、入力信号（１９）を直交位相搬送波周波数（２５）と混合し、ダウンコンバートされた入力信号の直交位相成分（２６）を提供する直交位相混合器（２４）と、ダウンコンバートされた入力信号の同相成分（２３）および直交位相成分（２６）を増幅するための増幅器（２９、３０）と、同相成分（２３）および直交位相成分（２６）のＤＣ成分を除去するＤＣブロックフィルタ（３１）と、を備え、受信機が更に、同相成分（２３）および直交位相成分（２６）の各々に対して、同相成分（２３）および直交成分（２６）を、入力信号（１９）の副搬送波またはコードクロック周波数の同相成分（３７）および直交位相成分（３８）と相関させるための同相相関器（３３、３４）および直交位相相関器（３５、３６）と、２つの同相相関器（３３、３４）および２つの直交位相相関器（３５、３６）の４つの出力信号（４８〜５１）を結合する結合器（４１）と、結合器（４１）の出力信号（４２）を最大エネルギレベルでサンプリングして、入力信号（１９）で検出されたデジタルデータ（２０）を出力するスライサ（４３）と、を備える。
2019502299.tif 000002
【特許請求の範囲】
【請求項１】
負荷変調されたアナログ入力信号（１９）を受信し、前記入力信号（１９）内で検出されたデジタルデータ（２０）を出力する受信機（１７）であって、前記受信機（１７）が、
前記入力信号（１９）を同相搬送波周波数（２２）と混合してダウンコンバートされた前記入力信号の同相成分（２３）を提供する同相混合器（２１）と、
前記入力信号（１９）を直交位相搬送波周波数（２５）と混合してダウンコンバートされた前記入力信号の直交位相成分（２６）を提供する直交位相混合器（２４）と、
前記ダウンコンバートされた入力信号の前記同相成分（２３）および前記直交位相成分（２６）を増幅するための増幅器（２９、３０）と、
前記同相成分（２３）および前記直交位相成分（２６）のＤＣ成分を除去するＤＣブロックフィルタ（３１）と、を備え、
前記受信機が更に、
前記同相成分（２３）および前記直交位相成分（２６）の各々に対して、前記同相成分（２３）および前記直交成分（２６）を、前記入力信号（１９）の副搬送波またはコードクロック周波数の同相成分（３７）および直交位相成分（３８）と相関させるための同相相関器（３３、３４）および直交位相相関器（３５、３６）と、
前記２つの同相相関器（３３、３４）および前記２つの直交位相相関器（３５、３６）の４つの出力信号（４８〜５１）を結合する結合器（４１）と、
前記結合器（４１）の出力信号（４２）を最大エネルギレベルでサンプリングして、前記入力信号（１９）で検出された前記デジタルデータ（２０）を出力するスライサ（４３）と、を備えることを特徴とする受信機。
【請求項２】
前記同相相関器（３３、３４）および前記直交位相相関器（３５、３６）の各々が、
前記ＤＣブロックフィルタ（３１、３２）からの前記同相成分（４６）および前記直交位相成分（４７）を、前記副搬送波またはコードクロック周波数の前記同相成分（３７）、直交位相成分（３８）と混合する混合器（３９）と、
混合器（３９）からの前記同相成分（４４）、直交位相成分（４５）を、積分ウィンドウの間に時間にわたって連続的に積分する積分器（４０）と、を備える、請求項１に記載の受信機（１７）。
【請求項３】
前記積分ウィンドウの継続幅が、前記負荷変調されたアナログ入力信号（１９）の変調形式に依存して固定されており、
ＩＳＯ１４．４４３タイプＡでは、副搬送波４周期、
ＩＳＯ１４．４４３タイプＢでは、１０６ｋｂｉｔ／ｓのデータレートに対して副搬送波８周期、
ＩＳＯ１４．４４３タイプＢでは、２１２ｋｂｉｔ／ｓのデータレートに対して副搬送波４周期、
ＩＳＯ１４．４４３タイプＢでは、４２４ｋｂｉｔ／ｓのデータレートに対して副搬送波２周期、
ＩＳＯ１４．４４３タイプＢでは、８４８ｋｂｉｔ／ｓのデータレートに対して副搬送波１周期、
Ｆｅｌｉｃａでは、副搬送波１周期、
となっている、請求項２に記載の受信機（１７）。
【請求項４】
前記結合器（４１）が、前記２つの同相相関器（３３、３４）および前記２つの直交位相相関器（３５、３６）の前記４つの出力信号（４８〜５１）を加算し、結合器（４１）の前記出力信号（４２）を生成するように構成されている、請求項１〜３のいずれかに記載の受信機（１７）。
【請求項５】
前記結合器（４１）が、前記２つの同相相関器（３３、３４）および前記２つの直交位相相関器（３５、３６）の前記４つの出力信号（４８〜５１）の内の、エネルギレベルの最も強い少なくとも１つ、特に２つ、を選択し、これらの選択された信号を加算して前記結合器（４１）の前記出力信号（４２）を生成するように構成されている、請求項１〜３のいずれかに記載の受信機（１７）。
【請求項６】
前記スライサ（４３）が、前記２つの同相相関器（３３、３４）および前記２つの直交位相相関器（３５、３６）の前記４つの出力信号（４８〜５１）の内のいずれが、前記適切に整列されたビットクロックを選択するために選択されたかに関する、前記結合器（４１）からの情報を用いて、前記結合器（４１）の前記出力信号（４２）をサンプリングするように構成されている、請求項５に記載の受信機（１７）。
【請求項７】
請求項１〜６のいずれかに記載の受信機（１７）であって、
前記相関器（３３〜３６）が、前記負荷変調されたアナログ入力信号（１９）の前記同相成分（２３）および前記直交位相成分（２６）の各々を、前記負荷変調されたアナログ入力信号（１９）の前記変調形式に応じて、前記副搬送波またはコードクロック周波数の前記同相成分（３７）および前記直交位相成分（３８）と相関させ、
前記負荷変調されたアナログ入力信号（１９）が、前記変調形式に応じて、ＩＳＯ１４．４４３タイプＡおよびタイプＢの場合は前記副搬送波の周波数を表す矩形波に固定され、
Ｆｅｌｉｃａの場合はマンチェスタクロック周波数を表す矩形波に固定される、受信機。
【請求項８】
前記負荷変調されたアナログ入力信号（１９）の前記同相成分（２３）および前記直交位相成分（２６）から、不必要な混合生成物をフィルタするフィルタ（２７、２８）を備える、請求項１〜７のいずれかに記載の受信機（１７）。
【発明の詳細な説明】
【技術分野】
【０００１】
本発明は、負荷変調されたアナログ入力信号を受信し、入力信号中で検出されたデジタルデータを出力する受信機に関し、受信機は、入力信号を同相搬送波周波数と混合し、ダウンコンバートされた入力信号の同相成分を提供する同相混合器と、前記入力信号を直交位相搬送波周波数と混合し、ダウンコンバートされた入力信号の直交位相成分を提供する直交位相混合器と、ダウンコンバートされた入力信号の同相成分および直交位相成分を増幅するための増幅器と、同相成分および直交位相成分のＤＣ成分を除去するＤＣブロックフィルタと、を備える。
【背景技術】
【０００２】
米国特許第７，８９０，０８０号は、能動または受動トランスポンダと通信するＲＦＩＤリーダのような無線認証（ＲＦＩＤ）装置に使用されるような受信機を開示している。典型的な用途では、受動トランスポンダまたはタグは、それが取り付けられる製品の製品識別情報を格納し、この製品情報を得るためにリーダが使用される。リーダは給電され、アンテナから磁界を生成する。リーダとタグが互いに近接している場合、リーダが生成した磁界がタグのアンテナ内に誘導され、タグを給電するために使用される。タグはまた、リーダから信号を受信し、応答をリーダに送信して返すための送受信機を有する。
【０００３】
ＩＳＯ／ＩＥＣ１８０００−３またはＩＳＯ／ＩＥＣ１４．４４３タイプＡおよびＢ、またはＩＳＯ１５．６９３またはＥＣＭＡ−３４０  １３．５６ＭＨｚ近距離無線通信（ＮＦＣ）のような標準規格、またはソニー社からのＦｅｌｉｃａのような社内規格があり、タグとリーダとの間で情報を送信するために使用されるプロトコルおよび変調形式を規定している。これらの規格の一部または全ては、リーダが送信する電力の大きさを変えることによって、リーダがタグにデータを送信することを規定している。タグは送信された信号を受信し、受信したデータを処理する。起動されたタグは次に、データをリーダに送信することによって返答する。タグが共振周波数およびその品質係数を変化させることによって、そのコイルの負荷インピーダンスを変化させる負荷変調を使用することが、典型的な技術である。この動作は、リーダアンテナでの電圧変動を引き起こす。米国特許第７，８９０，０８０号の図３に開示され、本特許出願の図１に示されているリーダの受信機は、そのような負荷変調されたアナログ入力信号を処理して、入力信号内で検出されたデジタルデータを出力する。
【０００４】
図１は、アンテナ３からの負荷変調されたアナログ入力信号を増幅するための差動増幅器２を備える受信機１を示す。同相混合器４は、入力信号を同相搬送波周波数と混合し、ダウンコンバートされた入力信号の同相成分Ｉを提供し、直交位相混合器５は、入力信号を直交位相搬送波周波数と混合し、ダウンコンバートされた入力信号の直交位相成分Ｑを提供する。増幅器６および７は、ダウンコンバートされた入力信号の同相成分Ｉおよび直交位相成分Ｑを増幅し、ＤＣブロックフィルタ８および９は、同相成分Ｉおよび直交位相成分ＱのＤＣ成分を除去し、同相成分Ｉおよび直交位相成分Ｑは次に、アナログデジタル変換器１０および１１によってデジタル化される。デジタル化された成分は次に、デジタルフィルタ１２および１３、ならびに整合フィルタ１４および１５によってフィルタされ、デジタルデコーダ１６で結合される。
【０００５】
米国特許第７，８９０，０８０号に開示されたこの受信機の欠点は、整合フィルタリングがデジタルフィルタリングの後に行われ、ダウンコンバートされた副搬送波の特性が活用されないため、雑音および干渉源に対する堅牢性が劣ることである。
【先行技術文献】
【特許文献】
【０００６】
【特許文献１】米国特許第７，８９０，０８０号
【発明の概要】
【０００７】
本発明の目的は、負荷変調されたアナログ入力信号中のノイズおよび干渉源に対して、より堅牢な受信機を備える受信機および装置を提供することである。
【０００８】
この目的は、同相成分および直交位相成分の各々に対して、同相成分および直交成分を、入力信号の副搬送波またはコードクロック周波数の同相成分および直交位相成分と相関させるための同相相関器および直交位相相関器と、２つの同相相関器および２つの直交位相相関器の４つの出力信号を結合する結合器と、結合器の出力信号を最大エネルギレベルでサンプリングして、入力信号で検出されたデジタルデータを出力するスライサと、を更に含む受信機を備える、受信機および装置によって実現される。
【０００９】
ダウンコンバートされた入力信号の同相成分および直交位相成分を、副搬送波（ＩＳＯ１４．４４３）またはコードクロック周波数（Ｆｅｌｉｃａ）の同相成分および直交位相成分と相関させる４つの相関器を使用することによって、信号対雑音比が最大となるように常に最適な副搬送波位相を選択することが可能になる。これによって更に、干渉ゆえに副搬送波パルスが欠落しているときでも、信号を回復させることが可能になる。
【００１０】
相関器および結合器は、アナログ信号処理を用いて、またはＤＣブロックと相関器との間のアナログデジタル変換後にデジタル信号処理を用いての、いずれかで実行することができる。
【００１１】
本発明のこれら態様および他の態様は、以下に記載される実施形態から明らかであり、かつ以下に記載される実施形態を参照して解明されるであろう。当業者は、様々な実施形態を組み合わせてもよいことを理解するであろう。
【図面の簡単な説明】
【００１２】
【図１】現状技術による負荷変調されたアナログ入力信号を処理するための受信機を示す。
【図２】本発明による負荷変調されたアナログ入力信号を処理するための受信機を示す。
【図３】図２による受信機の、ＤＣブロックフィルタからの同相成分、ならびに同相相関器および直交位相相関器の混合器からの同相成分および直交位相成分の例を示す。
【図４】図２による受信機の、ＩＳＯ／ＩＥＣ１４．４４３タイプＡに従う負荷変調されたアナログ入力信号に対する、ＤＣブロックフィルタからの同相成分、および同相相関器の出力信号、および直交位相相関器の出力信号の例を示す。
【図５】図２による受信機の、ＩＳＯ／ＩＥＣ１４．４４３タイプＢに従う負荷変調されたアナログ入力信号に対する、ＤＣブロックフィルタからの同相成分、および同相相関器の出力信号、および直交位相相関器の出力信号の例を示す。
【発明を実施するための形態】
【００１３】
図２は、負荷変調されたアナログ入力信号１９を受信するように構築された、ＲＦＩＤリーダ１８の一部である受信機１７を示し、トランスポンダまたはタグからリーダ１８に送られ、入力信号１９中で検出されたデジタルデータ２０を出力する。本発明の本実施形態によるリーダ１８は、ＩＳＯ／ＩＥＣ１４．４４３タイプＡおよびＢに基づくＮＦＣ標準規格であるＥＣＭＡ−３４０  １３．５６ＭＨｚ近距離無線通信ＮＦＣ標準規格、ならびにソニー社の社内規格であるＦｅｌｉｃａに従い、タグと通信する。リーダ１８は更に、アンテナ３を介して磁界を放射し、データを１つまたは複数のタグに送信する、図示されていない送信機を備える。そのようなタグは、例えば、米国特許第７，８９０，０８０号に開示されており、その当業者の知識の開示がここで本開示に組み込まれている。
【００１４】
リーダ１８とタグが互いに近接している場合、リーダ１８が生成した磁界がタグのアンテナ内に誘導され、タグを給電するために使用される。タグはまた、リーダ１８から信号を受信し、負荷変調された応答をリーダ１８に送信して戻すための送受信機を有し、リーダ１８はタグからの応答を、負荷変調されたアナログ入力信号１９として受信する。リーダ１８は入力信号１９を１３．５６ＭＨｚの搬送波周波数の同相成分２２と混合し、ダウンコンバートされた入力信号の同相成分２３を提供する同相混合器２１を備える。リーダ１８は更に、入力信号１９を１３．５６ＭＨｚ搬送波周波数の直交位相成分２５と混合し、ダウンコンバートされた入力信号の直交位相成分２６を提供する直交位相混合器２４を備える。
【００１５】
受信機１８は更に、負荷変調されたアナログ入力信号１９の同相成分２３および直交位相成分２６からの、不要な混合生成物をフィルタするフィルタ２７および２８を備える。このような望ましくない混合生成物は、特に０Ｈｚ、ならびに２ｘ１３．５６ＭＨｚである。
【００１６】
受信機１８は更に、ダウンコンバートされた入力信号のフィルタされた同相成分および直交位相成分を増幅する増幅器２９および３０を備える。アンテナ信号の典型的な変調は非常に小さいので、同相成分２３および直交位相成分２６の更なる処理の前に十分に大きな利得が必要である。
【００１７】
受信機１８は更に、増幅された同相成分および増幅された直交位相成分のＤＣ成分を除去するためのＤＣブロックフィルタ３１および３２を備える。特に、そのようなＤＣ成分は増幅器２９および３０によって加算され、同相および直交位相成分の更なる処理の前に除去される必要がある。
【００１８】
受信機１８は特に、同相成分および直交位相成分の各々に対して、同相相関器３３および３４ならびに直交位相相関器３５および３６を備え、同相成分および直交成分を、負荷変調されたアナログ入力信号１９の副搬送波またはコードクロック周波数の、同相成分３７および直交位相成分３８と相関させる。ＮＦＣ標準規格に基づく通信の初期段階において、受信機１８は、どの標準規格のどのプロトコルが、リーダ１８に近接しているタグによって使用されているかを検出する。その段階でリーダ１８とタグがＩＳＯ１４．４４３タイプＡまたはＢに基づいて通信するだろうと決定された場合、８４８ｋＨｚの副搬送波周波数を表す矩形波が使用され、その段階でリーダ１８とタグがＦｅｌｉｃａに基づいて通信するだろうと決定された場合、２１２ｋＨｚまたは４２４ｋＨｚのマンチェスタクロック周波数を表す矩形波が使用される。
【００１９】
同相相関器３３および３４、ならびに直交位相相関器３５および３６は各々、ＤＣブロックフィルタ３１および３２からの同相成分４６および直交位相成分４７を、副搬送波またはコードクロック周波数の同相成分３７および直交位相成分３８と混合する混合器３９を備える。同相相関器３３および３４の各々は更に、積分ウィンドウの間、混合器３９からの同相成分４４および直交位相成分４５を、時間にわたって連続的に積分する積分器４０を備える。積分ウィンドウは、様々な変調形式に対して固定されており、
ＩＳＯ１４．４４３タイプＡでは副搬送波４周期、
ＩＳＯ１４．４４３タイプＢでは１０６ｋｂｉｔ／ｓのデータレートに対して副搬送波８周期、
ＩＳＯ１４．４４３タイプＢでは２１２ｋｂｉｔ／ｓのデータレートに対して副搬送波４周期、
ＩＳＯ１４．４４３タイプＢでは４２４ｋｂｉｔ／ｓのデータレートに対して副搬送波２周期、
ＩＳＯ１４．４４３タイプＢでは８４８ｋｂｉｔ／ｓのデータレートに対して副搬送波１周期、
Ｆｅｌｉｃａでは副搬送波１周期、
となっている。
【００２０】
これは例えば、ＩＳＯ１４．４４３タイプＡでは、積分器４０が混合器３９の出力を積分ウィンドウで、すなわち副搬送波４周期の時間間隔である４．７ｕｓで積分することを意味する。
【００２１】
受信機１８は更に、２つの同相相関器３３および３４、ならびに２つの直交位相相関器３５および３６の４つの出力信号４８、４９、５０、５１を結合する結合器４１を備える。本発明のこの実施形態による結合器４１は、２つの同相相関器３３および３４、ならびに２つの直交位相相関器３５および３６の４つの出力信号４８、４９、５０、５１の内の、エネルギレベルの最も強い少なくとも１つを選択し、これらの選択された信号を加算して結合器４１の出力信号４２を生成するように構築されている。これは、十分に大きなエネルギレベルを有する出力信号のみがデジタルデータ２０に関する情報を含むであろうという事実に基づき、結合器４１が４つの出力信号４８、４９、５０、５１のエネルギレベルを測定し、それらの内の最も強い１つ、２つまたは３つのみを組み合わせて使用する、ということを意味する。２つの同相相関器３３および３４、ならびに２つの直交位相相関器３５および３６の、弱いエネルギレベルを有する出力信号は、結合器４１の出力信号４２における更なる処理には使用されないであろう。
【００２２】
本発明の別の実施形態による別の結合器では、２つの同相相関器３３および３４、ならびに２つの直交位相相関器３５および３６の、４つの出力信号４８、４９、５０および５１の全てを単純に加算して結合器の出力信号とすることができる。これは、技術的な単純で堅牢な解決策であるが、結合器４１で実現されるような、選択された出力信号のみの組み合わせである。どちらの解決策も複雑さは同等で、同様の良い結果をもたらす。
【００２３】
受信機１８は更に、負荷変調されたアナログ入力信号１９で検出されたデジタルデータ２０を出力するための、結合器４１の出力信号４２を最大エネルギレベルでサンプリングするためのスライサ４３を備える。サンプリングは出力信号４２の最大エネルギレベルでのみ行うことができ、または更により好ましくは、出力信号４２を生成するために、出力信号４８、４９、５０または５１のどれが結合器４１によって選択されたかという、結合器４１からの情報を用いて、適切な整列されたビットクロックを選択することができる。例えば、結合器４１が２つの同相相関器３３および３４の２つの出力信号を選択する場合、これら２つの出力信号は２つの直交位相相関器３６および３７と同様に高いエネルギレベルを含むので、スライサ４３は同相のビットクロックを選択してサンプルを生成し、出力信号４２中のデジタルデータ２０を検出する。これには、サンプリング点がすでに最適条件に近く、更なる調整はわずかしか必要ないという利点がある。
【００２４】
ここで、図２に示す受信機１７の使用法および利点を、具体的な信号例に基づいて図３〜図５に説明する。図３は、ＤＣブロックフィルタ３１からの同相成分４６、ならびに同相相関器３３および直交位相相関器３５の混合器３９からの同相成分４４および直交位相成分４５の一例を示す。これらの波形は現実の状況を示すので、信号にノイズが加算されている。図３で分かるように、混合器３９からの直交位相成分４５は、ＤＣブロックフィルタ３１からの同相成分４６と同相であり、平均出力信号を提供する。同相成分４４は、ＤＣブロックフィルタ３１からの同相成分４６とは位相がずれており、その結果、平均出力がゼロに近くなる。従って、直交位相成分４５のエネルギレベルは、同相成分４４のエネルギレベルよりも高くなる。
【００２５】
図４は、タグとのＩＳＯ１４．４４３タイプＡプロトコル通信を処理する受信機１７における、ＤＣブロックフィルタ３１からの同相成分４６、ならびに同相相関器３３の出力信号４８および直交位相相関器３５の出力信号４９の例を示す。図４で分かるように、直交位相相関器３５の出力信号４９は、結果として同相相関器３３の出力信号４８よりも著しく高い値およびエネルギレベルとなる。この例では、ＩＳＯ１４．４４３タイプＡプロトコル通信の結果を最適化するために、積分ウィンドウの継続時間幅は副搬送波４周期に設定された。従って、積分器の出力信号は、副搬送波８周期が生じる「０」から「１」へのビット変化で飽和する。これは、出力信号４９に見ることができ、後続のビットが同じである場合（例えば、ビット「１」の後にビット「１」）に三角波、後続のビットが変化する場合（例えば、ビット「０」の後にビット「１」）に平坦波形となる。
【００２６】
図５は、タグとのＩＳＯ１４．４４３タイプＢプロトコル通信を処理する受信機１７における、ＤＣブロックフィルタ３１からの同相成分４６、ならびに同相相関器３３の出力信号４８および直交位相相関器３５の出力信号４９の例を示す。図５で分かるように、直交位相相関器３５の出力信号４９は、結果として同相相関器３３の出力信号４８よりも著しく高い値およびエネルギレベルとなる。この例では、ＩＳＯ１４．４４３タイプＢプロトコル通信の結果を最適化するために、積分ウィンドウの継続時間幅は副搬送波８周期に設定された。従って、積分器の出力信号は、同種のビットが２つ発生すると飽和する。ＩＳＯ１４．４４３タイプＢプロトコル通信では、相関器３３、３４、３５および３６の出力信号４８、４９、５０および５１は、ビット「０」および［１］に対する副搬送波位相が反対であるという事実ゆえに、正でも負でもあり得る。これは、出力信号４９に見ることができ、後続のビットが同じである場合（例えば、ビット「１」の後にビット「１」）に三角波、後続のビットが変化する場合（例えば、ビット「０」の後にビット「１」）に平坦波形となる。
【図１】
2019502299.tif 000003
【図２】
2019502299.tif 000004
【図３】
2019502299.tif 000005
【図４】
2019502299.tif 000006
【図５】
2019502299.tif 000007
【手続補正書】
【提出日】平成30年7月25日(2018.7.25)
【手続補正１】
【補正対象書類名】特許請求の範囲
【補正対象項目名】全文
【補正方法】変更
【補正の内容】
【特許請求の範囲】
【請求項１】
負荷変調されたアナログ入力信号（１９）を受信し、前記入力信号（１９）内で検出されたデジタルデータ（２０）を出力する受信機（１７）であって、前記受信機（１７）が、
前記入力信号（１９）を同相搬送波周波数（２２）と混合してダウンコンバートされた前記入力信号の同相成分（２３）を提供する同相混合器（２１）と、
前記入力信号（１９）を直交位相搬送波周波数（２５）と混合してダウンコンバートされた前記入力信号の直交位相成分（２６）を提供する直交位相混合器（２４）と、
前記ダウンコンバートされた入力信号の前記同相成分（２３）および前記直交位相成分（２６）を増幅するための増幅器（２９、３０）と、
前記同相成分（２３）および前記直交位相成分（２６）のＤＣ成分を除去するＤＣブロックフィルタ（３１）と、を備え、
前記受信機が更に、
前記同相成分（２３）に対して、前記同相成分（２３）を、前記入力信号（１９）の副搬送波またはコードクロック周波数の同相成分（３７）と相関させるための第１同相相関器（３３）と、
前記同相成分（２３）に対して、前記同相成分（２３）を、前記入力信号（１９）の副搬送波またはコードクロック周波数の直交位相成分（３８）と相関させるための第１直交位相相関器（３５）と、
前記直交位相成分（２６）に対して、前記直交成分（２６）を、前記入力信号（１９）の副搬送波またはコードクロック周波数の同相成分（３７）と相関させるための第１同相相関器（３４）と、
前記直交位相成分（２６）に対して、前記直交成分（２６）を、前記入力信号（１９）の副搬送波またはコードクロック周波数の直交位相成分（３８）と相関させるための第２直交位相相関器（３６）と、
前記第１および第２の同相相関器（３３、３４）ならびに前記第１および第２の直交位相相関器（３５、３６）の４つの出力信号（４８〜５１）を結合する結合器（４１）と、
前記結合器（４１）の出力信号（４２）を最大エネルギレベルでサンプリングして、前記入力信号（１９）で検出された前記デジタルデータ（２０）を出力するスライサ（４３）と、を備えることを特徴とする受信機。
【請求項２】
前記第１同相相関器（３３）が、
前記ＤＣブロックフィルタ（３１、３２）からの前記同相成分（４６）を、前記副搬送波またはコードクロック周波数の前記同相成分（３７）と混合する第１混合器（３９）と、
前記第１混合器（３９）からの同相成分（４４）を、積分ウィンドウの間に時間にわたって連続的に積分する第１積分器（４０）と、を備え、
前記第２同相相関器（３４）が、
前記ＤＣブロックフィルタ（３１、３２）からの前記直交位相成分（４７）を、前記副搬送波またはコードクロック周波数の前記同相成分（３７）と混合する第２混合器（３９）と、
前記第２混合器（３９）からの前記同相成分（４４）を、積分ウィンドウの間に時間にわたって連続的に積分する第２積分器（４０）と、を備え、
前記第１直交位相相関器（３５）が、
前記ＤＣブロックフィルタ（３１、３２）からの前記同相成分（４６）を、前記副搬送波またはコードクロック周波数の前記直交位相成分（３８）と混合する第３混合器（３９）と、
前記第３混合器（３９）からの前記直交位相成分（４５）を、積分ウィンドウの間に時間にわたって連続的に積分する第３積分器（４０）と、を備え、
前記第２直交位相相関器（３６）が、
前記ＤＣブロックフィルタ（３１、３２）からの前記直交位相成分（４７）を、前記副搬送波またはコードクロック周波数の前記直交位相成分（３８）と混合する第４混合器（３９）と、
前記第４混合器（３９）からの直交位相成分（４５）を、積分ウィンドウの間に時間にわたって連続的に積分する第４積分器（４０）と、を備える、請求項１に記載の受信機（１７）。
【請求項３】
前記積分ウィンドウの継続幅が、前記負荷変調されたアナログ入力信号（１９）の変調形式に依存して固定されており、
ＩＳＯ１４．４４３タイプＡでは、副搬送波４周期、
ＩＳＯ１４．４４３タイプＢでは、１０６ｋｂｉｔ／ｓのデータレートに対して副搬送波８周期、
ＩＳＯ１４．４４３タイプＢでは、２１２ｋｂｉｔ／ｓのデータレートに対して副搬送波４周期、
ＩＳＯ１４．４４３タイプＢでは、４２４ｋｂｉｔ／ｓのデータレートに対して副搬送波２周期、
ＩＳＯ１４．４４３タイプＢでは、８４８ｋｂｉｔ／ｓのデータレートに対して副搬送波１周期、
Ｆｅｌｉｃａでは、副搬送波１周期、
となっている、請求項２に記載の受信機（１７）。
【請求項４】
前記結合器（４１）が、前記第１および第２同相相関器（３３、３４）ならびに前記第１および第２直交位相相関器（３５、３６）の４つの出力信号（４８〜５１）を加算し、前記結合器（４１）の前記出力信号（４２）を生成するように構成されている、請求項１〜３のいずれかに記載の受信機（１７）。
【請求項５】
前記結合器（４１）が、前記第１および第２同相相関器（３３、３４）ならびに前記第１および第２直交位相相関器（３５、３６）の４つの出力信号（４８〜５１）の内の、エネルギレベルの最も強い１つまたは２つを選択し、これらの選択された信号を加算して前記結合器（４１）の前記出力信号（４２）を生成するように構成されている、請求項１〜３のいずれかに記載の受信機（１７）。
【請求項６】
適切に整列されたビットクロックを選択するために、前記第１および第２同相相関器（３３、３４）ならびに前記第１および第２直交位相相関器（３５、３６）の４つの出力信号（４８〜５１）から選択された、前記結合器（４１）からの情報を用いて、前記スライサ（４３）が、前記結合器（４１）の前記出力信号（４２）をサンプリングするように構成されている、請求項５に記載の受信機（１７）。
【請求項７】
請求項１〜６のいずれかに記載の受信機（１７）であって、
前記第１同相相関器（３３）が、前記負荷変調されたアナログ入力信号（１９）の前記同相成分（２３）を、前記負荷変調されたアナログ入力信号（１９）の前記変調形式に応じて、前記副搬送波またはコードクロック周波数の前記同相成分（３７）と相関させ、
前記第２同相相関器（３４）が、前記負荷変調されたアナログ入力信号（１９）の前記直交位相成分（２６）を、前記負荷変調されたアナログ入力信号（１９）の前記変調形式に応じて、前記副搬送波またはコードクロック周波数の前記同相成分（３７）と相関させ、
前記第１直交相関器（３５）が、前記負荷変調されたアナログ入力信号（１９）の前記同相成分（２３）を、前記負荷変調されたアナログ入力信号（１９）の前記変調形式に応じて、前記副搬送波またはコードクロック周波数の前記直交位相成分（３８）と相関させ、
前記第２直交相関器（３６）が、前記負荷変調されたアナログ入力信号（１９）の前記直交位相成分（２６）を、前記負荷変調されたアナログ入力信号（１９）の前記変調形式に応じて、前記副搬送波またはコードクロック周波数の前記直交位相成分（３８）と相関させ、
前記負荷変調されたアナログ入力信号（１９）が、前記変調形式に応じて、ＩＳＯ１４．４４３タイプＡおよびタイプＢの場合は前記副搬送波の周波数を表す矩形波に固定され、
Ｆｅｌｉｃａの場合はマンチェスタクロック周波数を表す矩形波に固定される、受信機。
【請求項８】
前記負荷変調されたアナログ入力信号（１９）の前記同相成分（２３）および前記直交位相成分（２６）から、不必要な混合生成物をフィルタするフィルタ（２７、２８）を備える、請求項１〜７のいずれかに記載の受信機（１７）。
【手続補正２】
【補正対象書類名】明細書
【補正対象項目名】００１８
【補正方法】変更
【補正の内容】
【００１８】
受信機１８は特に、同相成分および直交位相成分の各々に対して、同相相関器３３（第１同相相関器３３）および同相相関器３４（第２同相相関器３４）ならびに直交位相相関器３５（第１直交位相相関器３５）および直交位相相関器３６（直交位相相関器３６）を備え、同相成分および直交成分を、負荷変調されたアナログ入力信号１９の副搬送波またはコードクロック周波数の、同相成分３７および直交位相成分３８と相関させる。ＮＦＣ標準規格に基づく通信の初期段階において、受信機１８は、どの標準規格のどのプロトコルが、リーダ１８に近接しているタグによって使用されているかを検出する。その段階でリーダ１８とタグがＩＳＯ１４．４４３タイプＡまたはＢに基づいて通信するだろうと決定された場合、８４８ｋＨｚの副搬送波周波数を表す矩形波が使用され、その段階でリーダ１８とタグがＦｅｌｉｃａに基づいて通信するだろうと決定された場合、２１２ｋＨｚまたは４２４ｋＨｚのマンチェスタクロック周波数を表す矩形波が使用される。
【手続補正３】
【補正対象書類名】明細書
【補正対象項目名】００１９
【補正方法】変更
【補正の内容】
【００１９】
同相相関器３３および３４、ならびに直交位相相関器３５および３６は各々、ＤＣブロックフィルタ３１および３２からの同相成分４６および直交位相成分４７を、副搬送波またはコードクロック周波数の同相成分３７および直交位相成分３８と混合する混合器３９（順に、第１〜第４混合器）を備える。同相相関器３３および３４の各々は更に、積分ウィンドウの間、混合器３９からの同相成分４４および直交位相成分４５を、時間にわたって連続的に積分する積分器４０（順に、第１および第２積分器）を備える。積分ウィンドウは、様々な変調形式に対して固定されており、
ＩＳＯ１４．４４３タイプＡでは副搬送波４周期、
ＩＳＯ１４．４４３タイプＢでは１０６ｋｂｉｔ／ｓのデータレートに対して副搬送波８周期、
ＩＳＯ１４．４４３タイプＢでは２１２ｋｂｉｔ／ｓのデータレートに対して副搬送波４周期、
ＩＳＯ１４．４４３タイプＢでは４２４ｋｂｉｔ／ｓのデータレートに対して副搬送波２周期、
ＩＳＯ１４．４４３タイプＢでは８４８ｋｂｉｔ／ｓのデータレートに対して副搬送波１周期、
Ｆｅｌｉｃａでは副搬送波１周期、
となっている。
【国際調査報告】
2019502299.tif 000008
2019502299.tif 000009